(57)【要約】【課題】指紋認証の際の指紋読み取りの成功確率を向上させる携帯端末装置及び指紋認証方法を提供する。【解決手段】指紋認証部８は、２つの異なる指紋読取部、第１指紋読取部８１と第２指紋読取部８２とを有し、認証処理部８３は、第１指紋読取部８１が読み取った指紋データＤ１と、第２指紋読取部８２が読み取った指紋データＤ２とを正規指紋データＤＲと比較することにより認証処理を行うが、指紋データＤ１とＤ２のうちいずれか一方のみ正規指紋データＤＲと適合した場合に、予め設定された設定内容に従って認証を行う。すなわち、指紋データＤ１とＤ２のうちの片方のみ適合していた場合に認証失敗と判定するか、或いは指紋データＤ１とＤ２のうちの片方のみ適合していた場合でも認証成功と判定するかが、予めされた設定によって変化させる。【選択図】図５
2009099113.tif 000002
【特許請求の範囲】
【請求項１】
指紋認証処理を行う指紋認証部と、
記憶部と、
を有し、
前記指紋認証部は、
指紋を読み取るための複数の指紋読取部と、
前記複数の指紋読取部が指紋を読み取り生成した複数の指紋データを、正規のユーザの指紋データである正規指紋データと比較し、全ての指紋データが前記正規指紋データに適合する場合には認証成功であると判定し、全ての指紋データが前記正規指紋データに適合しない場合には認証失敗であると判定し、一部の指紋データのみが前記正規指紋データに一致する場合には、予め設定され前記記憶部に記憶された設定データを基に、認証成功であると判定するか、認証失敗であると判定するかを変化させる認証処理部と、
を有する
ことを特徴とする携帯端末装置。
【請求項２】
前記複数の指紋読取部は、少なくとも２種類以上の方式の指紋読取方式で指紋を読み取る
ことを特徴とする請求項１に記載の携帯端末装置。
【請求項３】
前記指紋認証部は、第１指紋読取部と第２指紋読取部の２つの指紋読取部を有し、
前記第１指紋読取部と、前記第２指紋読取部とは、前記携帯端末装置の筐体の有する各面のうち、対向する２面にそれぞれ設けられている
ことを特徴とする請求項２に記載の携帯端末装置。
【請求項４】
前記指紋認証部は、第１指紋読取部と第２指紋読取部の２つの指紋読取部を有し、
前記第１指紋読取部と、前記第２指紋読取部とは、前記携帯端末装置の筐体の有する各面のうち、隣り合う２面にそれぞれ設けられている
ことを特徴とする請求項２に記載の携帯端末装置。
【請求項５】
前記指紋認証部は、第１指紋読取部と第２指紋読取部の２つの指紋読取部を有し、
前記第１指紋読取部と、前記第２指紋読取部とは、前記携帯端末装置の筐体の有する各面のうち、同一面、かつ、隣接して、それぞれ設けられている
ことを特徴とする請求項２に記載の携帯端末装置。
【請求項６】
指紋を読み取るための複数の指紋読取部を有する携帯端末装置の指紋認証方法であって、
前記複数の指紋読取部が指紋を読み取り生成した複数の指紋データを、正規のユーザの指紋データである正規指紋データと比較し、全ての指紋データが前記正規指紋データに適合する場合には認証成功であると判定し、全ての指紋データが前記正規指紋データに適合しない場合には認証失敗であると判定し、一部の指紋データのみが前記正規指紋データに一致する場合には、予め設定された設定データを基に、認証成功であると判定するか、認証失敗であると判定するかを変化させる
指紋認証方法。
【発明の詳細な説明】
【技術分野】
【０００１】
本発明は、指紋認証により特定の個人を認証可能な携帯端末装置及び指紋認証方法に関する。
【背景技術】
【０００２】
近年では、携帯電話機等の携帯端末装置が非常に普及しており、多くの人が自分専用の携帯端末装置を所持するようになっている。
【０００３】
これら個人が所持する携帯端末装置は、所有者の個人情報等、外部に漏らさない方がよい情報を記憶・保持するものが多い。このため、これらの携帯端末装置の中には、個人認証を行い、認証に成功しない人物の操作に対して応答しない、或いは限られた情報のみ開示するように構成されたものがある。
【０００４】
例えば、特許文献１には、指紋認証手段を設けた携帯端末装置が開示されている。
【０００５】
また、特許文献２には、個人認証の精度を向上させるために、顔画像による認証手段、音声による認証手段、指紋認証手段のうち、いずれか２つ以上を組み合わせて用い、個人認証を行う個人認証装置及び方法が開示されている。
【特許文献１】特開２００６−３１１１４１号公報
【特許文献２】特開２０００−２５９８２８号公報
【発明の開示】
【発明が解決しようとする課題】
【０００６】
上述した特許文献１に開示された携帯端末装置は、折り畳み式の携帯端末においてヒンジ部に指紋認証手段を設け、ユーザが指を当てたり、なぞらせたりすることによって指紋を読み取り、個人認証を行っている。特許文献２においては、指紋認証の際の具体的な動作についての詳細は説明されていない。
【０００７】
ところで、携帯端末装置（特に携帯電話機）は筐体のサイズが小さいものが多く、大きな指紋認証スペースをとることができない場合が多い。従って、例えば上述した特許文献１の携帯端末装置では、ユーザが指紋認証装置に軽く指をなぞらせただけでは、指をなぞらせる際の速度、なぞらせた指の面積等の要因によっては、指紋認証装置が指紋を読み取ることができない場合があった。また、ユーザの指の状態によっては、指紋認証装置が指紋を読み取ることができない場合があった。すなわち、静電容量により指紋を読み取る形式の指紋認証装置の場合には、指が湿っていたり、濡れていたりすると指紋を読み取ることができない場合があり、また、光学的に指紋を読み取る形式の指紋認証装置の場合には、指が汚れていると指紋を読み取ることができない場合があった。
【０００８】
従って、指紋認証装置を有する携帯端末装置において、ユーザが指紋認証を行い携帯端末装置の各機能を利用しようとしても、指紋認証装置がうまく一度で指紋を読み取ることができず、使い勝手が悪い場合がある、という不利益があった。
【０００９】
本発明は上記した不利益を解消するためになされたものであり、指紋認証の際の指紋読み取りの成功確率を向上させる携帯端末装置及び指紋認証方法を提供することを目的とする。
【課題を解決するための手段】
【００１０】
上記した課題を解決するために、第１の発明の携帯端末装置は、指紋認証処理を行う指紋認証部と、記憶部と、を有し、前記指紋認証部は、指紋を読み取るための複数の指紋読取部と、前記複数の指紋読取部が指紋を読み取り生成した複数の指紋データを、正規のユーザの指紋データである正規指紋データと比較し、全ての指紋データが前記正規指紋データに適合する場合には認証成功であると判定し、全ての指紋データが前記正規指紋データに適合しない場合には認証失敗であると判定し、一部の指紋データのみが前記正規指紋データに一致する場合には、予め設定され前記記憶部に記憶された設定データを基に、認証成功であると判定するか、認証失敗であると判定するかを変化させる認証処理部と、を有する。
【００１１】
第２の発明の指紋認証方法は、指紋を読み取るための複数の指紋読取部を有する携帯端末装置の指紋認証方法であって、前記複数の指紋読取部が指紋を読み取り生成した複数の指紋データを、正規のユーザの指紋データである正規指紋データと比較し、全ての指紋データが前記正規指紋データに適合する場合には認証成功であると判定し、全ての指紋データが前記正規指紋データに適合しない場合には認証失敗であると判定し、一部の指紋データのみが前記正規指紋データに一致する場合には、予め設定された設定データを基に、認証成功であると判定するか、認証失敗であると判定するかを変化させる。
【発明の効果】
【００１２】
本発明によれば、指紋認証の際の指紋読み取りの成功確率を向上させる携帯端末装置及び指紋認証方法を提供することができる。
【発明を実施するための最良の形態】
【００１３】
以下、本発明の携帯電話装置の一例としての携帯電話１００について説明する。
【００１４】
図１は、本実施形態において説明する携帯電話１００の構成の一例を示したブロック図である。
【００１５】
図１に示すように、本実施形態の携帯電話１００は、通信部１、操作部２、音声処理部３、スピーカ４、マイク５、表示部６、記憶部７、指紋認証部８、制御部９を有する。
【００１６】
通信部１は、複数の通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
【００１７】
操作部２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部９に出力する。
【００１８】
音声処理部３は、スピーカ４から出力される音声信号やマイク５において入力される音声信号の処理を行う。すなわち、マイク５から入力される音声を増幅し、アナログ／デジタル変換を行い、更に符号化等の信号処理を施し、デジタルの音声データに変換して制御部９に出力する。また、制御部９から供給される音声データに復号化、デジタル／アナログ変換、増幅等の信号処理を施し、アナログの音声信号に変換してスピーカ４に出力する。
【００１９】
表示部６は、例えば液晶ディスプレイ（ＬＣＤ：Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）パネル等により構成された表示デバイスであり、携帯電話１００の各種動作に応じた表示を行う。例えば、音声発着信時には発着信先を表示したり、メール送受信時にはメール送信画面や着信画面を表示したり、待ち受け画面を表示したり類を表示したりする。
【００２０】
記憶部７は、携帯電話１００の各種処理に利用される各種データを記憶する。例えば、制御部９が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。なお、上記した記憶部７は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２１】
また、記憶部７は後述する設定データを記憶する。
【００２２】
また、記憶部７は後述する指紋認証部８が指紋認証時に使用する正規指紋データＤＲを記憶する。この正規指紋データＤＲは、例えば携帯電話１００の購入時に、正規ユーザが登録した指紋データである。
【００２３】
指紋認証部８は、ユーザの指紋を読み取り、個人認証処理を行う。
【００２４】
指紋認証部８の詳細及び指紋認証処理については後述する。
【００２５】
制御部９は、携帯電話１００の全体的な動作を統括的に制御する。すなわち、携帯電話１００の各種処理（回線交換網を介して行われる音声通話、電子メールの作成と送受信、インターネットのＷｅｂサイトの閲覧など）が操作部２の操作に応じて適切な手順で実行されるように、上述した各ブロックの動作（通信部１における信号の送受信、音声処理部３における音声の入出力、表示部６における画像の表示など）を制御する。さらに、操作部２等の操作入力に応じて、指紋認証が要求された場合には、指紋認証部８に指紋認証処理を実行させる。
【００２６】
そして、指紋認証部８から通知された認証結果に応じて、操作部２からの操作入力への応答を変化させる。すなわち、指紋認証が成功であった場合には、現在のユーザを正規ユーザであるとして、その操作入力に応じるが、指紋認証が失敗であった場合には、現在のユーザが正規ユーザでないとして、その操作入力に応じず、認証が失敗であった旨を表示部６に表示させたりする。これにより、携帯電話１００のセキュリティが向上する。
【００２７】
以下、本実施形態の指紋認証部８及び指紋認証部８の実行する指紋認証処理について説明する。
【００２８】
指紋認証部８は、ユーザの指紋を読み取り、読み取った指紋を記憶部７に記憶された正規指紋データＤＲと比較することにより指紋認証を行う。
【００２９】
指紋認証部８は、第１指紋読取部８１、第２指紋読取部８２、認証処理部８３を有し、これら２つの指紋読取部によりユーザの指紋読み取りを行った後、認証処理部による個人認証を行う。
【００３０】
第１指紋読取部８１及び第２指紋読取部８２は、指紋を読み取るための読取部である。
【００３１】
指紋読取装置には、短冊状のセンサを有し、センサに置いた指を一定のスピードで滑らすことで指紋全体の２次元画像を取得する方式であるスイープ型や、指紋全体を一度に取得するエリア型があり、その中でも全反射法光学式、光路分離法光学式、指内拡散光検出型光学式、指内部特性検出型光学式、表面突起不規則反射式などの光学式センサ、静電容量式、電界式、感熱式、感圧式、超音波方式などの非光学式センサが存在する。
【００３２】
本発明の指紋読取部としては、上述したいずれの読取装置を採用してもよいが、携帯電話１００の携帯性を考慮し、サイズが小さい読取装置を実現するスイープ型を選択することが望ましい。
【００３３】
スイープ型指紋読取装置では、指の長さよりも十分に短く小面積の矩形読取面を有している。ユーザの指が読取面に対して移動するか、或いは、携帯電話１００全体が動くことにより読取面が指に対して移動するかしながら、読取面に接した部位の指紋を読み取る。
【００３４】
ここで、本実施形態では、第１指紋読取部８１と、第２指紋読取部８２とで異なる読取方式を採用する。例えば、第１指紋読取部８１が静電容量式である場合には、第２指紋読取部８２を感圧式にしたり、第１指紋読取部８１が光路分離法光学式である場合には、第２指紋読取部８２を超音波方式にしたりする。  このように第１指紋読取部８１と第２指紋読取部８２の読み取り方式を異ならせることにより、片方の読取部が指紋の読み取りに失敗した場合でも、もう片方の読取部が読取に成功することを期待でき、指紋読み取りの成功率が向上する。
【００３５】
また、第１指紋読取部８１と、第２指紋読取部８２とは、携帯電話１００の筐体のそれぞれ別の面に設けられている。
【００３６】
携帯電話１００の筐体について説明する。
【００３７】
図２は、携帯電話１００の筐体の外観の一例を示した図である。
【００３８】
図２（ａ）は表面１０１側から見た図、図２（ｂ）は裏面１０２側から見た図である。
【００３９】
図２に示すように、携帯電話１００は、表面１０１、裏面１０２、側面１０３及び１０４、上面１０５、下面１０６を有する。
【００４０】
表面１０１には、操作部２、スピーカ４、マイク５、表示部６が設けられている。
【００４１】
本実施形態の第１指紋読取部８１と第２指紋読取部８２は、携帯電話１００の６面のうち、対向する２面か、或いは隣り合う２面に設けられる。
【００４２】
図３は、第１指紋読取部８１と第２指紋読取部８２とを対向する２面に設置した場合の設置例を示した図である。
【００４３】
図３（ａ）では、携帯電話１００の表面１０１に第１指紋読取部８１が、裏面１０２に第２指紋読取部８２が設けられた一例を示している。この場合、表面１０１に設置される操作部２、スピーカ４、マイク５、表示部６の設置の邪魔にならない位置に第１指紋読取部８１を配置する必要がある。例えば図３（ａ）に示すように、操作部２の下部に設置する等すればよい。
【００４４】
図３（ａ）に示した設置例では、図３（ｂ）に示すように、第１指紋読取部８１で親指、第２指紋読取部８２で人差し指の指紋を読み取ることが想定されている。もちろん、反対に第１指紋読取部８１で人差し指、第２指紋読取部８２で親指の指紋を読み取るようにしてもよい。
【００４５】
また、反対に表面１０１に第２指紋読取部８２を、裏面１０２に第１指紋読取部８１を設けてもよい。
【００４６】
或いは、側面１０３に第１指紋読取部８１を、側面１０４に第２指紋読取部８２を設けてもよい。この様子を図３（ｃ）に示す。この場合、図３（ｄ）に示すように携帯電話１００が持たれ、第１指紋読取部８１で親指の、第２指紋読取部８２で人差し指の指紋を読み取ることを想定している。ただし、携帯電話１００が反対向きに持たれた場合（図３（ｄ）では表面１０１が図の左側を向いているが、反対に表面１０１が図の右を向くように持たれた場合）でも、第１指紋読取部８１が人差し指の、第２指紋読取部８２が親指の指紋を読み取るようにすればよい。
【００４７】
図４は、第１指紋読取部８１と第２指紋読取部８２とを隣り合う２面に設置した場合の設置例を示した図である。
【００４８】
図４（ａ）は、側面１０３に第１指紋読取部８１を、下面１０６に第２指紋読取部８２を設置した例を示す図である。この場合、指の触れやすさを考慮し、側面１０３内の第１指紋読取部８１の位置は、側面１０３の中央よりも下面１０６よりの位置とすることが望ましい。
【００４９】
もちろん、図４（ａ）とは反対に、側面１０４に第１指紋読取部８１を設置してもよい。或いは、上面１０５に第２指紋読取部８２を設置してもよい。ただし、この場合は、側面１０３における第１指紋読取部８１の位置を、側面１０３の中央よりも上面１０５よりの位置とすることが望ましい。
【００５０】
さらに、側面１０３に第２指紋読取部８２を、下面１０６に第１指紋読取部８１を設置してもよい。
【００５１】
また、図４（ｂ）は、裏面１０２に第１指紋読取部８１を、側面１０４に第２指紋読取部８２を設置した例を示す図である。この場合、指の触れやすさを考慮し、裏面１０２内の第１指紋読取部８１の位置は、裏面１０２の中央よりも側面１０４よりの位置とすることが望ましい。
【００５２】
もちろん、図４（ｂ）とは反対に、側面１０３に第２指紋読取部８２を設置してもよい。ただし、この場合は、裏面１０２における第１指紋読取部８１の位置を、裏面１０２の中央よりも側面１０３よりの位置とすることが望ましい。
【００５３】
さらに、表面１０１に第１指紋読取部８１を設置してもよい。この場合、表面１０１に設置される操作部２、スピーカ４、マイク５、表示部６の設置の邪魔にならない位置に第１指紋読取部８１を配置する必要がある（図示しない）。
【００５４】
また、図４（ｃ）は、表面１０１に第１指紋読取部８１を、下面１０６に第２指紋読取部８２を設置した例を示す図である。この場合、表面１０１に設置される操作部２、スピーカ４、マイク５、表示部６の設置の邪魔にならない位置に第１指紋読取部８１を配置する必要がある。例えば図４（ｃ）に示すように、操作部２の下部に設置する等すればよい。
【００５５】
もちろん、図４（ｃ）とは反対に、裏面１０２に第１指紋読取部８１を設置してもよい。或いは、上面１０５に第２指紋読取部８２を設置してもよい。ただし、この場合は、表面１０１における第１指紋読取部８１の位置を、表面１０１の中央よりも上面１０５よりの位置とすることが望ましい。すなわち、表示部６のさらに上面１０５よりに設置することが望ましい。
【００５６】
さらに、表面１０１に第２指紋読取部８２を、下面１０６に第１指紋読取部８１を設置してもよい。
【００５７】
なお、上述した図３及び図４に係る説明において、第１指紋読取部８１及び第２指紋読取部８２の各面内の位置について特に触れていない場合には、図３及び図４に示すように、各面のほぼ中央付近に第１指紋読取部８１或いは第２指紋読取部８２を設置しても良いし、ユーザビリティが向上するように、中央からずらした位置に設置してもよい。第１指紋読取部８１と、第２指紋読取部８２とにユーザが容易に同時に指を当てる（なぞらせる）ことが可能であるように、第１指紋読取部８１と第２指紋読取部８２との距離が大きく離れないように設置すればよい。
図６は、第１指紋読取部８１と第２指紋読取部８２とを同一面、かつ、隣接した位置に設置した場合の設置例を示した図である。
【００５８】
図６（ａ）は、表面１０１の表示部６と操作部２との間に、第１指紋読取部８１と、第２指紋読取部８２を隣接設置した例を示す図である。この場合、一本の指での触れやすさを考慮し、表面１０１の表示部６に近接した位置に第１指紋読取部８１を設置し、表面１０１の操作部に近接した位置に第２指紋読取部８２を設置する。第１指紋読取部８１と、第２指紋読取部８２とにユーザが容易に連続して指を当てる（なぞらせる）ことが可能であるように、第１指紋読取部８１と第２指紋読取部８２との距離が大きく離れないように設置すればよい。図６（ａ）では、それぞれの指紋読取部を、携帯端末１００の幅方向に対して平行に配置したが、幅方向にたいして直角や、斜めに配置しても良い。
図６（ｂ）は、裏面１０２に、第１指紋読取部８１と、第２指紋読取部８２を隣接した位置に設置した例を示す図である。この場合も図（ａ）と同様に携帯端末１００の幅方向に対して平行に配置したが、幅方向にたいして直角や、斜めに配置しても良い。
また、上記例では、携帯端末１００の表面１０１と裏面１０２について述べたが、向かって右の側面１０３、向かって左の側面１０４、上面１０５、下面１０６の何れに配置しても良い。
【００５９】
なお、上述した図６に係る説明において、第１指紋読取部８１及び第２指紋読取部８２の各面内の位置について特に触れていない場合には、図６に示すように、各面のほぼ中央付近に第１指紋読取部８１或いは第２指紋読取部８２を設置しても良いし、ユーザビリティが向上するように、中央からずらした位置に設置してもよい。第１指紋読取部８１と、第２指紋読取部８２とにユーザが容易に連続的に指を当てる（なぞらせる）ことが可能であるように、第１指紋読取部８１と第２指紋読取部８２との距離が大きく離れないように設置すればよい。
【００６０】
認証処理部８３は、上記説明した第１指紋読取部８１と、第２指紋読取部８２とが読み取った指紋データを利用し、記憶部７に記憶された正規指紋データＤＲと比較して、第１指紋読取部８１と第２指紋読取部８２とが読み取った指紋データの持ち主が正規ユーザであるか否かの認証を行う。
【００６１】
なお、認証処理部８３が読み取られた指紋データと正規指紋データＤＲとを比較し、同一のものであるか否かを判別し個人を認証する方法については、本発明では限定しない。既存の技術を利用することが可能である。
【００６２】
以下、認証処理部８３の認証処理時の動作例を説明する。
【００６３】
図５は、認証処理部８３の認証処理時の動作例を示したフローチャートである。
【００６４】
ステップＳＴ１：
認証処理部８３は、制御部９からの認証要求を取得する。
【００６５】
ステップＳＴ２：
認証処理部８３は、第１指紋読取部８１と第２指紋読取部８２からそれぞれが読み取った指紋データを取得する。以下では、第１指紋読取部８１が取得した指紋データをＤ１、第２指紋読取部８２が取得した指紋データをＤ２と称する。
【００６６】
ステップＳＴ３：  
認証処理部８３は、指紋データＤ１及びＤ２を正規指紋データＤＲと比較する。
【００６７】
指紋データＤ１とＤ２のいずれか片方のみ正規指紋データＤＲと適合する場合はステップＳＴ４に、指紋データＤ１、Ｄ２ともに正規指紋データＤＲと適合する場合はステップＳＴ５に、指紋データＤ１とＤ２の両方が正規指紋データＤＲを適合する場合はステップＳＴ６に進む。
【００６８】
ステップＳＴ４：
認証処理部８３は、指紋データＤ１とＤ２のうちの片方のみ正規指紋データＤＲと適合していた場合の設定を記述した設定データを参照する。すなわち、片方のみ適合の場合でも、指紋認証成功と判定するか、或いは指紋認証失敗と判定するかが予め設定されており、記憶部７に設定データとして記憶されている。本ステップでは認証処理部８３はこの設定を参照して当該設定に従う。なお、この設定は、例えば予めユーザによって操作部２等を介して行われ、設定データとして記憶部７に記憶されている。
【００６９】
設定データの設定が、指紋データＤ１とＤ２のうちの片方のみ適合していた場合では認証失敗とする設定であった場合にはステップＳＴ５に進み、指紋データＤ１とＤ２のうちの片方のみ適合していた場合でも認証成功とする設定であった場合にはステップＳＴ６に進む。
【００７０】
ステップＳＴ５：
認証処理部８３は、指紋データＤ１及びＤ２を認証失敗と判定する。
【００７１】
ステップＳＴ６：
認証処理部８３は、指紋データＤ１及びＤ２を認証成功と判定する。
【００７２】
ステップＳＴ７：
認証処理部８３は、ステップＳＴ５及びＳＴ６における認証の結果を制御部９に通知する。
【００７３】
以上説明したように、認証処理部８３は指紋データＤ１とＤ２のうちいずれか一方のみ正規指紋データＤＲと適合した場合に、予め設定された設定内容に従って認証を行う。すなわち、指紋データＤ１とＤ２のうちの片方のみ適合していた場合に認証失敗と判定するか、或いは指紋データＤ１とＤ２のうちの片方のみ適合していた場合でも認証成功と判定するかが、予め記憶された設定によって変化するようになっている。このため、本実施形態の携帯電話１００では、ユーザが携帯電話１００のセキュリティを強化したいと思った場合等には、予め指紋データＤ１とＤ２のうちの片方のみ適合していた場合には認証失敗と判定するように設定しておけばよいし、第１指紋読取部８１及び第２指紋読取部８２の指紋読み取りエラーの可能性を考慮した場合には、片方の指紋データのみ正規指紋データＤＲと適合しても認証するように設定しておけばよい。
【００７４】
以上説明したように、本実施形態の携帯電話１００によれば、２つの異なる指紋読取部、第１指紋読取部８１と第２指紋読取部８２とを設けた。このため、指紋読取部が１つの場合と比較して２倍となり、指紋の読み取りに失敗する確率を減らすことができる。また、第１指紋読取部８１と第２指紋読取部８２とではタイプの異なる方式の指紋読取装置を採用したため、条件による読み取り失敗を減らすことができる。すなわち、例えば、第１指紋読取部８１が、静電容量式の指紋読取装置であった場合には、ユーザの指先が湿っていた時等には読取に失敗する恐れが増大するが、第２指紋読取部８２が、例えば感圧式の指紋読取装置であった場合にはユーザの指先が湿っていても読み取ることができる公算が高くなる。また、第１指紋読取部８１が、光学式の指紋読取装置であった場合には、ユーザの指先が汚れていた時等には読取に失敗する恐れが増大するが、第２指紋読取部８２が、例えば感温式の指紋読取装置であった場合にはユーザの指先が汚れていても読み取ることができる可能性がある。
【００７５】
また、第１指紋読取部８１と第２指紋読取部８２とは、筐体のいずれか対向する面、あるいは隣り合う２面に設けられているため、ユーザが容易にその両方に指を当てる、或いはなぞらせることができるように設計されている。
【００７６】
さらに、本実施形態の携帯電話１００によれば、認証処理部８３は、第１指紋読取部８１が読み取った指紋データＤ１と、第２指紋読取部８２が読み取った指紋データＤ２とを正規指紋データＤＲと比較することにより認証処理を行うが、指紋データＤ１とＤ２のうちいずれか一方のみ正規指紋データＤＲと適合した場合に、予め設定された設定データの内容に従って認証を行う。すなわち、指紋データＤ１とＤ２のうちの片方のみ適合していた場合に認証失敗と判定するか、或いは指紋データＤ１とＤ２のうちの片方のみ適合していた場合でも認証成功と判定するかが、予めされた設定によって変化するようになっている。このため、ユーザが携帯電話１００のセキュリティを強化したいと思った場合等には、予め指紋データＤ１とＤ２のうちの片方のみ適合していた場合には認証失敗と判定するように設定しておけばよいし、第１指紋読取部８１及び第２指紋読取部８２の指紋読み取りエラーの可能性を考慮した場合には、片方の指紋データのみ正規指紋データＤＲと適合しても認証するように設定しておけばよく、使い勝手が向上する。
【００７７】
本発明は上述した実施形態には限定されない。
【００７８】
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００７９】
上述した実施形態においては、指紋認証部８は２つの指紋読取部を有するとしたが、本発明はこれには限定されず、例えば３つ以上の指紋読取部を有して構成されてもよい。
【００８０】
また、上述した実施形態では、第１指紋読取部８１と第２指紋読取部８２とが携帯電話１００の筐体の対向する面或いは隣り合う２面に設けられるとしたが、本発明はこれには限定されない。例えば、特に指紋読取部が複数（３個以上）設けられる場合等に、筐体の同一の面に複数（例えば上下・左右の両端部等）に設けられてもよい。
【００８１】
また、３つ以上の指紋読取部を設ける場合には、認証処理部８３は、全ての指紋データが正規指紋データＤＲと適合した場合に認証成功と判定し、全ての指紋データが正規指紋データＤＲと適合しない場合に認証失敗であると判定し、一部の指紋データのみ正規指紋データＤＲと適合する場合には、予めされた設定に従って認証失敗と判定するか認証成功であると判定するかを決定するようにすればよい。
【図面の簡単な説明】
【００８２】
【図１】図１は、本実施形態の携帯電話の構成の一例を示したブロック図である。
【図２】図２は、携帯電話の筐体の外観の一例を示した図である。
【図３】図３は、第１指紋読取部と第２指紋読取部とを対向する２面に設置した場合の設置例を示した図である。
【図４】図４は、第１指紋読取部と第２指紋読取部とを隣り合う２面に設置した場合の設置例を示した図である。
【図５】図５は、認証処理部の認証処理時の動作例を示したフローチャートである。
【図６】図６は、第１指紋読取部と第２指紋読取部とを同一面、かつ、隣接した位置に設置した場合の設置例を示した図である。
【符号の説明】
【００８３】
１００…携帯電話、１０１…表面、１０２…裏面、１０３…側面、１０４…側面、１０５…上面、１０６…下面、１…通信部、２…操作部、３…音声処理部、４…スピーカ、５…マイク、６…表示部、７…記憶部、８…指紋認証部、８１…第１指紋読取部、８２…第２指紋読取部、８３…認証処理部、９…制御部、Ｄ１…第１指紋読取部８１が取得した指紋データ、Ｄ２…第２指紋読取部８２が取得した指紋データ、ＤＲ…正規指紋データ。
【図１】
2009099113.tif 000003
【図２】
2009099113.tif 000004
【図３】
2009099113.tif 000005
【図４】
2009099113.tif 000006
【図５】
2009099113.tif 000007
【図６】
2009099113.tif 000008